(57)【要約】【課題】従来のイメージ（画像）ガイド光ファイバは、光ファイバが非常に多数で、高価である。本発明は、その課題を解決すると同時に、光ファイバとカテーテルは、着脱、交換が可能で、使い捨てが可能になるので、更なる低廉化をはかった体内の色を識別可能にするカテーテル及びその外部装置である。【解決手段】内科または外科処置を施すカテーテルと共に、色伝達及び照明伝達の２つの機能を兼用した１本の光ファイバを、もしくは１本の色伝達用と１本の照明伝達用の２本の光ファイバを挿入し、前記光ファイバを、光源、色受光部及び色出力部を内蔵した外部装置と接続することによって体内の色を識別することを可能とする。また、本発明の光ファイバは、１ないし２本の光ファイバしか用いないため、安価であるばかりでなく、光ファイバと外部装置は、光コネクタにより、着脱、交換が可能である。特に、染色可能な器官を区別する場合において有効である。【選択図】図１
2009172076.tif 000002
【特許請求の範囲】
【請求項１】
体内に挿入可能で、内科や外科処置を施すためのカテーテル及び１本の色伝達と照明伝達用光ファイバを内蔵させてガイディングカテーテルを形成し、前記ガイディングカテーテル内の光ファイバが、色受光部、色出力部、照明用光源と色情報の分波と光源からの照明光を合波をするための光合分波部からなる外部装置内の前記光合分波部に接続されていることを特徴とする体内の色を識別可能にするカテーテルおよびその外部装置。
【請求項２】
体内に挿入可能で、内科や外科処置を施すためのカテーテル及び１本の色伝達用光ファイバと１本の照明伝達用光ファイバを内蔵させてガイディングカテーテルを形成し、前記ガイディングカテーテル内の２本の光ファイバが、色受光部、色出力部、照明用光源からなる外部装置内の前記照明用光源と前記色受光部に接続されていることを特徴とする体内の色を識別可能にするカテーテルおよびその外部装置。
【請求項３】
体内に挿入可能で、一方のルーメンに内科や外科処置を施すカテーテルを、他方のルーメンに１本の色伝達と照明伝達用光ファイバを内蔵させてダブルルーメンカテーテルを形成し、前記ダブルルーメンカテーテル内の光ファイバが、色受光部、色出力部、照明用光源と色情報の分波と光源からの照明光を合波をするための光合分波部からなる外部装置内の前記光合分波部に接続されていることを特徴とする体内の色を識別可能にするカテーテル及びその外部装置。
【請求項４】
体内に挿入可能で、一方のルーメンに内科や外科処置を施すカテーテルを、他方のルーメンに１本の色伝達用光ファイバと１本の照明伝達用光ファイバを内蔵させてダブルルーメンカテーテルを形成し、前記ダブルルーメンカテーテル内の光ファイバが、色受光部、色出力部及び照明用光源からなる外部装置内の前記照明用光源と前記色受光部に接続されていることを特徴とする体内の色を識別可能にするカテーテル及びその外部装置。
【請求項５】
請求項１と３の外部装置内の光合分波部として、光カプラを用いたことを特徴とする特徴とする請求項１と３の内いずれかに記載の体内の色を識別可能にするカテーテル及びその外部装置。
【請求項６】
請求項１、３及び５の外部装置内の光ファイバの先端部にＡＲコートを施したことを特徴とする請求項１と３と５の内いずれかに記載の体内の色を識別可能にするカテーテル及びその外部装置。
【請求項７】
請求項１から６の光ファイバと外部装置が、コネクタにより着脱自在に接続され、光ファイバとカテーテルが容易に交換可能となることを特徴とする請求項１から６の内いずれかに記載の体内の色を識別可能にするカテーテル及びその外部装置。
【請求項８】
請求項１から７の外部装置内の色受光部が、色出力部となるように光ファイバからの色情報がレンズで直接目視できることを特徴とする請求項１から７の内いずれかに記載の体内の色を識別可能にするカテーテル及びその外部装置。
【請求項９】
請求項１から７の外部装置内の色受光部として、イメージセンサを用いて、色情報から不必要な情報を排除し、色情報を増幅し、色出力部にて色情報が確認できることを特徴とする請求項１から７の内いずれかに記載の体内の色を識別可能にするカテーテル及びその外部装置。
【発明の詳細な説明】
【技術分野】
【０００１】
本発明は、体内の色を識別可能にするカテーテル及びその外部装置に関するものである。
【背景技術】
【０００２】
従来のイメージ（画像）ガイド光ファイバは、図１０に示すように、照明用光ファイバもしくはバンドル光ファイバ１７′とイメージ伝達用光ファイバもしくはバンドル光ファイバ１８′で構成され、非常に多数の光ファイバを使用しているので、どうしても高価にならざるを得なかった。しかも、従来の光ファイバとカテーテルは、使い捨てができる着脱、交換が可能な構造にはなっていなかった。（例えば、特許文献１参照。）
【０００３】
【特許文献１】特表２００３−５３４０５６号公報
【発明の開示】
【発明が解決しようとする課題】
【０００４】
従って、本発明は、従来のイメージガイド光ファイバは、光ファイバが非常に多数で、高価であり、その課題を解決すると同時に、光ファイバとカテーテルは、着脱、交換が可能で、使い捨てが可能になるので、更なる低廉化をはかった体内の色を識別可能にするカテーテル及びその外部装置である。
【課題を解決するための手段】
【０００５】
この問題を解決するために、鋭意検討した結果、本発明は、
第１に、従来のイメージファイバのように画像を伝達するものではなく、体内をモニタする光ファイバは色情報のみを伝達する１本の光ファイバとし、さらに、前記光ファイバが接続される外部装置において、色情報の分波と光源からの照明光の合波をするための光合分波部により、前記光ファイバを照明伝達として用いることができる。つまり、１本の光ファイバで色伝達及び照明伝達を同時に行うことができる。また、外部装置は、照明用光源の他に、色受光部と色出力部(ヒューマンインターフェイス)を搭載することによって、体内の色をモニタすることができる。前記光ファイバと内科または外科処置を施すカテーテルをガイディングカテーテル内部に挿入することによって、体内の色を識別し、内科または外科処置を施すカテーテルとすることができる。
第２に、従来のイメージファイバのように画像を伝達するものではなく、体内をモニタする光ファイバは色情報のみを伝達する１本の光ファイバとし、さらに、照明光を伝達する光ファイバも１本とする。前記光ファイバ２本が接続される外部装置は、前記照明伝達用光ファイバが接続される照明用光源、前記色伝達用光ファイバが接続される色受光部と色出力部(ヒューマンインターフェイス)を搭載することによって、体内の色をモニタすることができる。前記２本の光ファイバと内科または外科処置を施すカテーテルをガイディングカテーテル内部に挿入することによって、体内の色を識別し、内科または外科処置を施すカテーテルとすることができる。
第３に、第１の解決手段のガイディングカテーテルをダブルルーメンカテーテルとし、一方のルーメンに光ファイバを挿入し、他方のルーメンにて内科または外科処置を施すカテーテルとしたものである。
第４に、第２の解決手段のガイディングカテーテルをダブルルーメンカテーテルとし、一方のルーメンに２本の光ファイバを挿入し、他方のルーメンにて内科または外科処置を施すカテーテルとしたものである。
第５に、第１及び第３の解決手段の外部装置内の光合分波部として、光カプラを用いたものである。
第６に、第１、３及び５の解決手段の光ファイバ先端に、照明光の反射を防ぐためにＡＲコートを施したものである。
第７に、第１から６の解決手段の光ファイバの外部装置との取り付けに光コネクタを用い、外部装置と光ファイバが交換できるようにしたものである。
第８に、第１から６の解決手段の外部装置における光受光部と光出力部として、ファイバからの色情報をレンズにより直接目視できるようにしたものである。
第９に、第１から第７の解決手段の外部装置における光受光部として、イメージセンサを用いて、色情報を増幅及び修正することによって、より色がはっきりと識別できる情報を色出力部に送るようにしたものである。
【発明の効果】
【０００６】
１もしくは２本の光ファイバにより体内の色を識別することによって、目的と異なる器官に誤挿入することを防止できる安価なカテーテルを提供することができるという優れた効果があるので、その工業的価値は大きい。
【発明を実施するための最良の形態】
【０００７】
以下、本発明の体内の色を識別可能にするカテーテル及びその外部装置の実施例を、添付図面を参照して詳細に説明する。
【実施例１】
【０００８】
本発明の実施例１は、図１に示すように、カテーテル部は、ガイディングカテーテル８に内科または外科処置を施すカテーテル４を挿入し、さらに、１本の色伝達と照明伝達を同時に行う光ファイバ７を挿入したものである。前記光ファイバは、外部装置内の光合分波部に接続される。外部装置は光合分波部、照明光源、色受光部及び色出力部(ヒューマンインターフェイス)にて構成される。照明光源の光は光合分波部により光ファイバ７に結合され、光ファイバ７の端面から照射され照明光となる。照明光は、体内の器官により反射され、光ファイバ７に色情報として再結合される。色情報は光合分波部により分岐され色受光部にて受光される。色受光部は、色情報を色出力部に送り、色出力部にて、人間が色を識別する。以上のように体内の色を識別することによって、カテーテルを目的の器官にガイドすることができる。また、器官によっては着色をすることにより、識別が容易になる。例えば、着色料を飲むことにより胃と肺の区別が容易になる。また、光ファイバ７にはマルチモードファイバを用いたが、多成分系ガラスファイバやＰＣＦやＰＯＦ等でも良い。光ファイバ７の先端部はフラット研磨もしくは球面研磨が施されている。色受光部から色出力部への色情報は光のままでも電気信号に変換されてもどちらでも良い。本発明の具体的な構成例として、光ファイバのコア径が、２００〜４００μｍ、ＮＡ（開口数）が、０．３〜０．４のＰＣＦを使用して行った。
【実施例２】
【０００９】
本発明の実施例２は、図２に示すように、カテーテル部はガイディングカテーテル８に内科または外科処置を施すカテーテル４を挿入し、さらに、１本の色伝達用光ファイバ５と１本の照明伝達用光ファイバ６を挿入したものである。前記光ファイバは、外部装置内の前記証明用光源と前記色受光部に接続される。外部装置は、照明光源、色受光部及び色出力部(ヒューマンインターフェイス)にて構成される。照明光源の光は照明伝達用の光ファイバ６に結合され、光ファイバ６の端面から照射され照明光となる。照明光は体内の器官により反射され、色伝達用の光ファイバ５に色情報として再結合される。光ファイバ５の色情報は色受光部にて受光される。色受光部は色情報を色出力部に送り色出力部にて、人間が色を識別する。光ファイバ５、６にはマルチモードファイバを用いるが、ＰＣＦでもＰＯＦでも良い。光ファイバ５、６の先端部はフラット研磨もしくは球面研磨が施されている。色受光部から色出力部への色情報は光のままでも電気信号に変換されてもどちらでも良い。
【実施例３】
【００１０】
本発明の実施例３は、図３に示すように、カテーテル部はダブルルーメンカテーテル９の１つのルーメンを内科または外科処置を施すカテーテル４として使用し、さらに１本の色伝達及び照明伝達を同時に行う光ファイバ７をもう１つのルーメンに挿入したものである。その他の構成及び機能は実施例１と同様である。
【実施例４】
【００１１】
本発明の実施例４は、図４に示すように、カテーテル部はダブルルーメンカテーテル９の１つのルーメンを内科または外科処置を施すカテーテル４として使用し、さらに１本の色伝達用光ファイバ５と１本の照明伝達用光ファイバ６をもう１つのルーメンに挿入したものである。その他の構成及び機能は、実施例２と同様である。
【実施例５】
【００１２】
本発明の実施例５は、図５に示すように、外部装置の光合分波部を光カプラ１０としたものである。ただし、光カプラ１０はファイバ(融着)型、Ｙ分岐型、ハーフミラー型どのタイプを用いても良い。また、図ではダブルルーメンカテーテルとしたがガイディングカテーテルでも良い。その他の構成及び機能は実施例１もしくは３と同様である。
【実施例６】
【００１３】
本発明の実施例６は、図６に示すように、光ファイバ７の先端部にＡＲコート１１を施したものである。これにより照明光の反射(戻り光)を抑えることができ色情報がよりはっきりとしたものになる。図では光合分波部として光カプラ１０としたがその限りではない。同様に、図ではダブルルーメンカテーテルとしたがガイディングカテーテルでも良い。その他の構成及び機能は実施例１もしくは３もしくは５の実施例と同様である。
【実施例７】
【００１４】
本発明の実施例７は、図７に示すように、光ファイバ７もしくは光ファイバ５及び６（図４）と外部装置との取り付けに光コネクタ１２及び光アダプタ１４を用いたものである。光ファイバ７もしくは５と６（図４）には光コネクタ１２が取り付けられる。ただし、光コネクタはフェルールのみでも良い。その他の構成及び機能は実施例１から６のいずれかの実施例と同様である。
【実施例８】
【００１５】
本発明の実施例８は、図８に示すように、外部装置の光受光部及び光出力部(ヒューマンインターフェイス)として光ファイバ７もしくは５からの色情報を直接レンズ１５で拡大し、目視する構造としてものである。これにより外部装置を非常に簡単な装置で実現できる。その他の構成及び機能は、実施例１から７のいずれかの実施例と同様である。
【実施例９】
【００１６】
本発明の実施例９は、図９に示すように、外部装置の光受光部としてイメージセンサ１６を用い、光情報を電気的に増幅及び修正をすることによって、より明確に色を識別できるようにしたものである。イメージセンサはＣＭＯＳでもＣＣＤでも良い。また、色出力部(ヒューマンインターフェイス)は液晶などの色を映し出すものでも良い。その他の構成及び機能は、実施例１から７のいずれかの実施例と同様である。
【産業上の利用可能性】
【００１７】
本発明品の体内の色を識別できるカテーテルは、従来品のようにバンドルファイバを必要としないため、更なる低廉化が実現できる。また、体内の色を識別できるため、カテーテルを目的と異なる器官に誤挿入する頻度も少なくすることができる。
【図面の簡単な説明】
【００１８】
【図１】本発明の実施例１で、体内の色を識別可能にするカテーテル及びその外部装置１Ａの説明図である。
【図２】本発明の実施例２で、体内の色を識別可能にするカテーテル及びその外部装置１Ｂの説明図である。
【図３】本発明の実施例３で、体内の色を識別可能にするカテーテル及びその外部装置１Ｃの説明図である。
【図４】本発明の実施例４で、体内の色を識別可能にするカテーテル及びその外部装置１Ｄの説明図である。
【図５】本発明の実施例５で、体内の色を識別可能にするカテーテル及びその外部装置１Ｅの説明図である。
【図６】本発明の実施例６で、体内の色を識別可能にするカテーテル及びその外部装置１Ｆの説明図である。
【図７】本発明の実施例７で、体内の色を識別可能にするカテーテル及びその外部装置１Ｇの説明図である。
【図８】本発明の実施例８で、体内の色を識別可能にするカテーテル及びその外部装置１Ｈの説明図である。
【図９】本発明の実施例９で、体内の色を識別可能にするカテーテル及びその外部装置１Ｊの説明図である。
【図１０】従来のイメージガイド光ファイバ１′の断面図である。
【符号の説明】
【００１９】
１Ａ、１Ｂ、１Ｃ、１Ｄ、１Ｆ、１Ｇ、１Ｊ
本発明の体内の色を識別可能にするカテーテル及びその外部装置
２  光信号の流れ
３  電気信号の流れ
４  内科または外科処置を施すカテーテル
５  色伝達用光ファイバ
６  照明伝達用光ファイバ
７  色伝達と照明伝達用光ファイバ
８  ガイディングカテーテル
９  ダブルルーメンカテーテル
１０  光カプラ
１１  ＡＲコート
１２  光コネクタ
１３  光カプラ
１４  光アダプタ
１５  レンズ
１６  イメージセンサ
１′  従来のイメージガイド光ファイバ
１７′照明用光ファイバもしくはバンドル光ファイバ
１８′イメージ伝達用光ファイバもしくはバンドル光ファイバ
【図１】
2009172076.tif 000003
【図２】
2009172076.tif 000004
【図３】
2009172076.tif 000005
【図４】
2009172076.tif 000006
【図５】
2009172076.tif 000007
【図６】
2009172076.tif 000008
【図７】
2009172076.tif 000009
【図８】
2009172076.tif 000010
【図９】
2009172076.tif 000011
【図１０】
2009172076.tif 000012